(57)【要約】【課題】サイズが大きくなることを防ぎつつ、端子が接地電位に短絡することを防止する。【解決手段】コネクタ１００は、対象物１０１を挿入するための挿入口ＩＯから前方へ延びる穴部１１０を有するハウジング１０３と、穴部１１０に配置される複数の端子１０４と、ハウジング１０３を少なくとも部分的に覆う導電性シェル１０５と、導電性シェル１０５に電気的に接続しており、端子群から左方又は右方に離間して、対象物１０１の接地用パッド１０８と接触するように設けられる接地用バネ片１０６と、端子群と接地用バネ片１０６との間で前後方向に沿って延在して、端子群と接地用バネ片１０６とを仕切る仕切壁１０７とを備える。【選択図】図２
2019075362.tif 000002
【特許請求の範囲】
【請求項１】
接地接続部を有する対象物を前後方向における後方から前方へ向けて挿入することによって当該対象物が接続されるコネクタであって、
前記対象物を挿入するための挿入口から前方へ延びる穴部を有するハウジングと、
前記ハウジングの前記穴部に配置される複数の端子と、
前記ハウジングを少なくとも部分的に覆う導電性シェルと、
前記導電性シェルに電気的に接続しており、前記複数の端子で構成される端子群から前記前後方向と直交する左右方向における左方又は右方の少なくとも一方に離間して、前記接地接続部と接触するように設けられる接地用バネ片と、
前記端子群と前記接地用バネ片との間で前後方向に沿って延在して、前記端子群と前記接地用バネ片とを仕切る仕切壁とを備えるコネクタ。
【請求項２】
前記仕切壁は、前記ハウジングを構成する側壁である
請求項１に記載のコネクタ。
【請求項３】
前記仕切壁は、左右方向の寸法が前方に向かって次第に大きくなることによって、前記対象物をガイドする第１ガイド部を含む
請求項１又は２に記載のコネクタ。
【請求項４】
前記導電性シェルは、
前記ハウジングの上方に配置された第１シェル部と、
前記ハウジングの下方に配置された第２シェル部と、
前記第１シェル部と前記第２シェル部とを連結する連結部とを有し、
前記連結部は、後方から見た場合に、前記仕切壁の少なくとも一部を覆う
請求項１から３のいずれか１項に記載のコネクタ。
【請求項５】
前記接地用バネ片は、複数であって、
複数の前記接地用バネ片は、前記第１シェル部と前記第２シェル部との各々に設けられており、
前記第１シェル部に設けられた前記接地用バネ片は、固定端から下前方に向かって延びる片持ち梁状をなし、
前記第２シェル部に設けられた前記接地用バネ片は、固定端から上前方に向かって延びる片持ち梁状をなす
請求項４に記載のコネクタ。
【請求項６】
前記第１シェル部と前記第２シェル部との各々は、左右の各端部から、前記第１シェル部と前記第２シェル部との間へ向かうように湾曲して延びる左右の曲げ部を有し、
複数の前記接地用バネ片は、それぞれ、前記固定端が前記左右の曲げ部に接続して支持される
請求項５に記載のコネクタ。
【請求項７】
前記導電性シェルは、少なくとも１つの前記接地用バネ片の前記前後方向における後方に位置する端部に、前記対象物をガイドする第２ガイド部を有する
請求項１から６のいずれか１項に記載のコネクタ。
【請求項８】
前記仕切壁と前記接地用バネ片とは、前記端子群の左右両方に設けられている
請求項１から７のいずれか１項に記載のコネクタ。
【発明の詳細な説明】
【技術分野】
【０００１】
本発明は、コネクタに関する。
【背景技術】
【０００２】
例えば、特許文献１に記載のコネクタ１は、金属製シェル２、コネクタ本体３及び多数の信号線用コンタクト５を備えている。特許文献１に記載の金属製シェル２は、電磁波遮蔽用として機能し、ＦＰＣ（Ｆｌｅｘｉｂｌｅ  Ｐｒｉｎｔｅｄ  Ｃｉｒｃｕｉｔ）１０の接地用パッドに対応して、一対の接地用コンタクト２４ａ，２４ｂが一体に形成されている。
【０００３】
特許文献１に記載のコネクタ１では、その平面図である図１（ａ）及びその斜視図である図１（ｂ）を見ると分かるように、複数の信号線用コンタクト５が左右方向に並べて配置されている。図１（ａ）を見るとよく分かるように、上方から見ると、接地用コンタクト２４ａ，２４ｂは、複数の信号線用コンタクト５よりも右方と左方とのそれぞれに、複数の信号線用コンタクト５から離間して設けられている。
【０００４】
すなわち、特許文献１に記載のコネクタ１を上方から見た場合に、右方の接地用コンタクト２４ａは、右端に位置する信号線用コンタクト５よりも右方に、ある程度の距離を離して設けられている。左方の接地用コンタクト２４ｂも同様に、左端に位置する信号線用コンタクト５よりも左方に、ある程度の距離を離して設けられている。
【先行技術文献】
【特許文献】
【０００５】
【特許文献１】特開２００５−１２９４９０号公報
【発明の概要】
【発明が解決しようとする課題】
【０００６】
しかしながら、右方と左方との接地用コンタクト２４ａ，２４ｂのそれぞれと右端と左端との信号線用コンタクト５とは、離間している距離が小さいと短絡してしまうおそれがある。これに対して、右方と左方との接地用コンタクト２４ａ，２４ｂのそれぞれと右端と左端との信号線用コンタクト５との距離が大きいと、コネクタ１の左右方向のサイズが大きくなってしまうおそれがある。
【０００７】
このような問題は、特許文献１に記載のコネクタ１において、両端に位置する信号線用コンタクト５の一方又は両方に代えて、接地用コンタクト以外のコンタクト（端子）であれば、同様に生じ得る。接地用コンタクト以外のコンタクトとして、例えば電源用コンタクトを挙げることができる。
【０００８】
本発明は、このような事情に鑑みてなされたものであって、サイズが大きくなることを防ぎつつ、端子が接地電位に短絡することを防止することが可能なコネクタを提供することを目的とする。
【課題を解決するための手段】
【０００９】
上記目的を達成するため、本発明に係るコネクタは、
接地接続部を有する対象物を前後方向における後方から前方へ向けて挿入することによって当該対象物が接続されるコネクタであって、
前記対象物を挿入するための挿入口から前方へ延びる穴部を有するハウジングと、
前記ハウジングの前記穴部に配置される複数の端子と、
前記ハウジングを少なくとも部分的に覆う導電性シェルと、
前記導電性シェルに電気的に接続しており、前記複数の端子で構成される端子群から前記前後方向と直交する左右方向における左方又は右方の少なくとも一方に離間して、前記接地接続部と接触するように設けられる接地用バネ片と、
前記端子群と前記接地用バネ片との間で前後方向に沿って延在して、前記端子群と前記接地用バネ片とを仕切る仕切壁とを備える。
【発明の効果】
【００１０】
本発明によれば、サイズが大きくなることを防ぎつつ、端子が接地電位に短絡することを防止することが可能になる。
【図面の簡単な説明】
【００１１】
【図１】関連発明に係るコネクタの一例であって、（ａ）は平面図であり、（ｂ）は斜視図である。
【図２】本発明の一実施の形態に係るコネクタの斜視図である。
【図３】一実施の形態に係るコネクタの背面図である。
【図４】一実施の形態に係るコネクタの左側面図である。
【図５】図３のＶ−Ｖ線における断面図である。
【図６】一実施の形態に係るコネクタの左後端部近傍を拡大して示す斜視図である。
【図７】一実施の形態に係るコネクタの製造方法における第１工程を示す図であって、導電性シェルの作製に利用される金属板の一例を示す。
【図８】一実施の形態に係るコネクタの製造方法における第２工程を示す斜視図である。
【図９】一実施の形態に係るコネクタを製造方法における第３工程を示す斜視図である。
【発明を実施するための形態】
【００１２】
以下、本発明の実施の形態に係るコネクタについて、図面を参照しつつ説明する。全図を通じて同一の要素には同一の符号を付す。また、上・下・前・後・右・左の方向を表す用語は、説明のために用いるのであって、本発明を限定する趣旨ではない。
【００１３】
＜コネクタの構成＞
本発明の一実施の形態に係るコネクタ１００は、図２の斜視図、図３の背面図、図４の左側面図、図５の断面図に示すように、対象物１０１を前後方向における後方から前方へ向けて挿入することによって対象物１０１が接続される電子部品である。コネクタ１００は、概ね、基板１０２と、ハウジング１０３と、複数の端子１０４と、導電性シェル１０５と、４つの接地用バネ片１０６と、２つの仕切壁１０７とを備える。
【００１４】
ここで、対象物１０１は、図２に例示するように、２つの接地用パッド１０８と、複数の端子用パッド１０９とが基板Ｂの上面と下面との各面に設けられたプリント基板である。対象物１０１の各面において複数の端子用パッド１０９は、２つの接地用パッド１０８の間で左右に並べて設けられている。
【００１５】
４つの接地用パッド１０８と、複数の端子用パッド１０９とは、それぞれ、４つの接地用バネ片１０６と、複数の端子１０４とに対応付けて設けられている。対象物１０１がコネクタ１００に接続されると、４つの接地用パッド１０８は、接地接続部として、４つの接地用バネ片１０６と接触して電気的に接続する。また、複数の端子用パッド１０９の各々は、予め定められた複数の端子１０４のいずれかと接触して電気的に接続する。
【００１６】
このような対象物１０１は、例えば、パーソナルコンピュータ、パーソナルコンピュータの周辺機器（例えば、プリンタ、ハードディスクドライブなど）、パーソナルコンピュータを周辺機器と接続するためのドッキングステーションに接続されるケーブルのコネクタなどに組み込まれる。
【００１７】
基板１０２は、適宜、配線が設けられたプリント基板である。
【００１８】
ハウジング１０３は、対象物１０１を挿入するための挿入口ＩＯから前方へ延びる穴部１１０を有する。本実施の形態に係るハウジング１０３は、概ね、上下左右のそれぞれに位置する壁（上壁、下壁、左側壁、右側壁）で形成された断面が矩形で前後に延びる筒状をなし、各側壁の上端部及び下端部からさらに側方へ突き出した突出部をさらに有する。穴部１１０は、後方から見て、概ね矩形であり、穴部１１０には、前方から予め定められた領域に基板１０２が配置されている。また、穴部１１０の上面部及び下面部の後方から予め定められた領域には、左右に並ぶ複数の細長い溝が設けられている。穴部１１０の左右の側面部は、詳細後述する仕切壁１０７により形成される。
【００１９】
また、ハウジング１０３は、後方から見て、左右方向における穴部１１０の概ね中央に、柱部１１１を有する。柱部１１１により、ハウジング１０３の強度が増すだけでなく、コネクタ１００に適合しない対象物を誤って接続することを防止することができる。
【００２０】
なお、本実施の形態では、穴部１１０は、ハウジング１０３の中を前後方向に貫通しているが、穴部１１０は貫通していなくてもよい。すなわち、穴部１１０に設けられた複数の端子１０４が、外部の基板１０２の配線などに接続できるように構成されていれば、穴部１１０の前端部は塞がれていてもよい。
【００２１】
ハウジング１０３は、絶縁性の材料で作られていればよく、典型的には、樹脂製であって、射出成形によって作られる。
【００２２】
複数の端子１０４は、針金状の金属が予め定められた形状に湾曲した導電性の部材である。端子１０４の各々について、長さ方向と垂直な面における断面は、多角形、円、楕円など適宜の形状であってよいが、例えば、矩形状である。
【００２３】
複数の端子１０４の各々は、ハウジング１０３に設けられた溝に固定されることによって、ハウジング１０３の穴部１１０に配置される。ハウジング１０３の穴部１１０には上述のように基板１０２が配置されており、複数の端子１０４の各々は、その基板１０２に設けられた配線のうち、適宜予め定められたものと電気的に接続している。
【００２４】
端子１０４の各々をハウジング１０３に固定する方法は、適宜の方法が採用されてよい。例えば端子１０４の各々は、溝に圧入されることによって、溝を形成する壁部から押圧された状態で固定されるとよい。また、適宜、接着剤などが利用されてもよい。
【００２５】
導電性シェル１０５は、電磁的なノイズの遮蔽（電磁シールド）のために設けられる金属製の部材であって、ハウジング１０３を少なくとも部分的に覆う。本実施の形態では、導電性シェル１０５は、例えば図２に示すように、ハウジング１０３の上方、下方、右方及び左方を概ね覆う。
【００２６】
本実施の形態に係る導電性シェル１０５は、ハウジング１０３の外面に概ね接触するように配置されるが、導電性シェル１０５の一部又は全体が、適宜、ハウジング１０３の外面から、電磁シールド機能を損なわない範囲で離間して配置されてもよい。
【００２７】
詳細には、導電性シェル１０５は、第１シェル部１１２と、第２シェル部１１３と、左右の連結部１１４と、４つの曲げ部１１５と、４つのシェルガイド部１１６とを有し、係止爪１１７によってハウジング１０３に対して後方へ移動できないように係り止められている。
【００２８】
第１シェル部１１２は、ハウジング１０３の上方に配置される。第１シェル部１１２は、ハウジング１０３の上面に接触するように配置された略平板状の部位である。第１シェル部１１２は、上方から見て、概ね、前方中央に概ね矩形の切欠きが設けられた矩形をなす。
【００２９】
第２シェル部１１３は、ハウジング１０３の下方に配置される。第２シェル部１１３は、ハウジング１０３の下面に接触するように配置された略平板状の部位である。第２シェル部１１３は、上方から見て、概ね、前方中央に概ね矩形の切欠きが設けられた矩形をなす。
【００３０】
連結部１１４の各々は、第１シェル部１１２と第２シェル部１１３とを連結する。
【００３１】
また、左右の連結部１１４のそれぞれは、後方から見た場合に、詳細後述する左右の仕切壁１０７の一部を覆う。すなわち、連結部１１４の各々は、対応する仕切壁１０７の後方端部よりも後方であり、かつ、後方から見て、対応する仕切壁１０７の後方端部と互いに部分的に重なり合う位置に配置される。
【００３２】
なお、連結部１１４は、１つであってもよく、３つ以上であってもよい。連結部１１４は、後方から見た場合に、仕切壁１０７の１つの少なくとも一部を覆っていればよく、仕切壁１０７の１つのすべてを覆っていてもよい。
【００３３】
曲げ部１１５は、第１シェル部１１２と第２シェル部１１３との各々の左右の各端部から、第１シェル部１１２と第２シェル部１１３との間へ向かうように湾曲して延びる部位である。
【００３４】
より詳細には例えば、第１シェル部１１２に接続する曲げ部１１５は、第１シェル部１１２の左端部と右端部との各々から、第１シェル部１１２の下面から連続した面がその上面から連続した面の内側に位置するように湾曲する。これにより、第１シェル部１１２に接続する曲げ部１１５は、第２シェル部１１３へ近づくように湾曲した後、さらに、第１シェル部１１２の左右方向の中心へ向かうように湾曲する。このようにして、本実施の形態において、第１シェル部１１２に接続する曲げ部１１５は、第１シェル部１１２と第２シェル部１１３との間へ向かうように湾曲している。
【００３５】
また例えば、第２シェル部１１３に接続する曲げ部１１５も同様に、第２シェル部１１３の左端部と右端部との各々から、第２シェル部１１３の上面から連続した面がその下面から連続した面の内側に位置するように湾曲する。これにより、第２シェル部１１３に接続する曲げ部１１５は、第１シェル部１１２へ近づくように湾曲した後、さらに、第２シェル部１１３の左右方向の中心へ向かうように湾曲する。このようにして、本実施の形態において、第２シェル部１１３に接続する曲げ部１１５も、第１シェル部１１２に接続する曲げ部１１５と同様に、第１シェル部１１２と第２シェル部１１３との間へ向かうように湾曲している。
【００３６】
シェルガイド部１１６は、図６の拡大斜視図に示すように、第２ガイド部として、詳細後述する接地用バネ片１０６の前後方向における後方に位置する端部に設けられて、対象物１０１を上下方向の予め定められた位置へガイドする部位である。
【００３７】
本実施の形態に係るシェルガイド部１１６は、第１シェル部１１２と第２シェル部１１３との各々の後端部のうち、接地用バネ片１０６の後方に位置する部分から、第１シェル部１１２と第２シェル部１１３との間へ向かうように湾曲して延びる。
【００３８】
より詳細には例えば、シェルガイド部１１６は、接地用バネ片１０６の各々の後方に位置する第１シェル部１１２の後端部から、第１シェル部１１２の下面から連続した面がその上面から連続した面の内側に位置するように湾曲する。これにより、第１シェル部１１２に接続するシェルガイド部１１６は、第２シェル部１１３へ近づくように湾曲した後、さらに、第１シェル部１１２の前後方向の中心へ向かうように湾曲する。このようにして、本実施の形態において、第１シェル部１１２に接続するシェルガイド部１１６は、第１シェル部１１２と第２シェル部１１３との間へ向かうように湾曲している。
【００３９】
また例えば、第２シェル部１１３に接続するシェルガイド部１１６も同様に、接地用バネ片１０６の各々の後方に位置する第２シェル部１１３の後端部から、第２シェル部１１３の上面から連続した面がその下面から連続した面の内側に位置するように湾曲する。これにより、第２シェル部１１３に接続するシェルガイド部１１６は、第１シェル部１１２へ近づくように湾曲した後、さらに、第２シェル部１１３の前後方向の中心へ向かうように湾曲する。このようにして、本実施の形態において、第２シェル部１１３に接続するシェルガイド部１１６も、第１シェル部１１２に接続するシェルガイド部１１６と同様に、第１シェル部１１２と第２シェル部１１３との間へ向かうように湾曲している。
【００４０】
４つの接地用バネ片１０６は、図２〜４及び６に示すように、対象物１０１の接地電位を規定するための部位であって、導電性シェル１０５に一体に形成される。４つの接地用バネ片１０６は、それぞれが対応する接地用パッド１０８と接触するように、複数の端子１０４で構成される端子群から、前後方向と直交する左右方向における左方又は右方の少なくとも一方に離間した位置に設けられる。
【００４１】
本実施の形態に係る接地用バネ片１０６は、第１シェル部１１２と第２シェル部１１３との各々に設けられている。第１シェル部１１２に設けられた接地用バネ片１０６は、固定端ＦＥから下前方に向かって延びる片持ち梁状をなす。また、第２シェル部１１３に設けられた接地用バネ片１０６は、固定端ＦＥから上前方に向かって延びる片持ち梁状をなす。
【００４２】
そして、４つの接地用バネ片１０６は、それぞれ、固定端ＦＥが左右の曲げ部１１５に接続して支持される。
【００４３】
本実施の形態では、第１シェル部１１２に設けられた接地用バネ片１０６は、左右の２つがある。第１シェル部１１２に設けられた左方の接地用バネ片１０６は、その固定端ＦＥが第１シェル部１１２の左端部から延びる曲げ部１１５に接続して支持されている。第１シェル部１１２に設けられた右方の接地用バネ片１０６は、その固定端ＦＥが第１シェル部１１２の右端部から延びる曲げ部１１５に接続して支持されている。
【００４４】
本実施の形態では、第２シェル部１１３に設けられた接地用バネ片１０６も、第１シェル部１１２に設けられたものと同様に、左右の２つがある。上述の第１シェル部１１２に設けられた接地用バネ片１０６に関する説明において第１シェル部１１２を第２シェル部１１３に置き換えた態様で、接地用バネ片１０６は、第２シェル部１１３にも設けられる。
【００４５】
なお、接地用バネ片の数は、１つ以上であれば、適宜変更されてもよい。
【００４６】
仕切壁１０７の各々は、複数の端子１０４で構成される端子群と接地用バネ片１０６との間で前後方向に沿って延在し、これによって、端子群と接地用バネ片１０６とを仕切る。本実施の形態では、仕切壁１０７は、ハウジング１０３を構成する側壁である。なお、仕切壁１０７は、ハウジング１０３を構成する側壁とは別に設けられてもよい。
【００４７】
本実施の形態に係る仕切壁１０７は、ハウジング１０３の上下の壁を連続的に隙間なく接続する。これにより、複数の端子１０４で構成される端子群と接地用バネ片１０６との間は、これらの前後方向の全長にわたって、相互に隙間なく遮断される。そのため、粉塵などを介して端子１０４のいずれかと接地用バネ片１０６のいずれかとの短絡を防止することができる。
【００４８】
仕切壁１０７は、後方端部から予め定められた範囲に仕切ガイド部１１８を有する。仕切ガイド部１１８は、第１ガイド部として、左右方向の寸法が前方に向かって次第に大きくなることによって、対象物１０１を左右方向の予め定められた位置へガイドする部位である。
【００４９】
本実施の形態に係る仕切ガイド部１１８は、後方端部の外側部に設けられており、前方に向って次第に外方へ突き出すように傾斜した斜面を形成している。
【００５０】
ここで、仕切ガイド部１１８の後方端部の外側部とは、後方端部の側部のうち外方に位置するもの、すなわち、左方の仕切ガイド部１１８については後方端部の左端部であり、右方の仕切ガイド部１１８については後方端部の右端部である。仕切ガイド部１１８の外方とは、左右の仕切ガイド部１１８の各々で他方から遠い方であり、より具体的には、左方の仕切ガイド部１１８では左方、右方の仕切ガイド部１１８では右方である。
【００５１】
＜コネクタの製造方法＞
これまで、本発明の一実施の形態に係るコネクタ１００の構成について説明した。ここから、本実施の形態に係るコネクタ１００の製造方法について説明する。
【００５２】
導電性シェル１０５を作製するための金属板１１９が準備される。金属板１１９は、図７に示す形状を有する金属製の平板であって、適宜折り曲げるだけで、これまで説明した導電性シェル１０５を作製できるように切欠きが設けられている。
【００５３】
図７に示す金属板１１９を、設計上定められた方法で折り曲げることによって、図８に示す組み付け前の導電性シェル１２０を作製する。また、同図に示すように、基板１０２が前方から挿入されて固定されるとともに、複数の端子１０４が取り付けられたハウジング１０３を準備する。
【００５４】
なお、金属板１１９は、本実施の形態では隙間なく連続した金属製の板である例によって説明するが、導電性の板状の部材であればよく、１つ又は複数の孔が設けられたメッシュ状などであってもよい。
【００５５】
組み付け前の導電性シェル１２０の前方から、その内部に、基板１０２及び複数の端子１０４が取り付けられたハウジング１０３を挿入する。これによって、図９に示すように、組み付け前の導電性シェル１２０が、基板１０２及び複数の端子１０４が取り付けられたハウジング１０３に嵌め付けられる。
【００５６】
組み付け前の導電性シェル１２０に設けられている係止爪１１７（図９参照）を折り曲げることによって、導電性シェル１０５がハウジング１０３から後方へ移動できないように固定される。これにより、図２に示すように、導電性シェル１０５がハウジング１０３に組み付けられて、コネクタ１００が完成する。
【００５７】
＜作用・効果＞
これまで説明したように、本実施の形態によれば、複数の端子１０４で構成される端子群と、導電性シェル１０５に一体に形成された接地用バネ片１０６との間を仕切る仕切壁１０７が設けられる。これにより、複数の端子１０４と接地用バネ片１０６との間を大きく離間させなくても、仕切壁１０７によって、複数の端子１０４と接地用バネ片１０６との短絡を防ぐことができる。従って、コネクタ１００のサイズが大きくなることを防ぎつつ、複数の端子１０４が接地電位に短絡することを防止することが可能になる。
【００５８】
また、仕切壁１０７は、前後方向に沿って延在する。これにより、対象物１０１をコネクタ１００に接続する際に、仕切壁１０７が対象物１０１をガイドすることができる。そのため、コネクタ１００が備える端子１０４及び接地用バネ片１０６と、対象物１０１が備える端子用パッド１０９及び接地用パッド１０８とを、左右方向の位置関係を容易に予め定められた対応付けで配置できる。従って、コネクタ１００と対象物１０１とを容易に接続することが可能になる。
【００５９】
本実施の形態では、仕切壁１０７は、ハウジング１０３を構成する側壁である。そのため、側壁とは別に仕切壁１０７を設ける必要がないため、ハウジング１０３の左右方向のサイズが大きくなることが防ぐことができる。従って、コネクタ１００のサイズ、特に左右方向のサイズが大きくなることが防ぐことが可能になる。
【００６０】
本実施の形態では、仕切壁１０７が、対象物１０１をガイドする仕切ガイド部１１８を有する。これにより、コネクタ１００が備える端子１０４及び接地用バネ片１０６と、対象物１０１が備える端子用パッド１０９及び接地用パッド１０８とを、左右方向の位置関係を予め定められた対応付けで配置することが、より容易になる。従って、コネクタ１００と対象物１０１とを、より容易に接続することが可能になる。
【００６１】
本実施の形態では、第１シェル部１１２と第２シェル部１１３とを連結する連結部１１４が設けられる。これにより、図７で例示したような１枚の金属板１１９から導電性シェル１０５を作製することができる。このような導電性シェル１０５の一体化により部品点数が減るので組み立てを容易にすることが可能になる。
【００６２】
また、連結部１１４によって、第１シェル部１１２と第２シェル部１１３とが連結されるので、導電性シェル１０５の強度が増す。その結果、例えば、第１シェル部１１２と第２シェル部１１３とが後端部で上下方向に離間することを防ぐことが可能になる。
【００６３】
さらに、連結部１１４は、後方から見た場合に仕切壁１０７を覆う。これにより、仕切壁１０７の後方端部を連結部１１４で保護することができる。一般的に、対象物１０１を抜き差しする際に、仕切壁１０７の後方端部には対象物１０１が衝突することがあり得るが、このような衝突によって仕切壁１０７の後方端部が損傷することを防ぐことが可能になる。
【００６４】
本実施の形態では、接地用バネ片１０６が、上下両方に設けられる。これにより、接地用バネ片１０６の間に対象物１０１を配置することで、対象物１０１を上下方向に概ね正確に位置付けることができる。従って、対象物１０１を容易に正確な位置に接続することが可能になる。
【００６５】
本実施の形態では、第１シェル部１１２と第２シェル部１１３との各々が曲げ部１１５を有し、４つの接地用バネ片１０６は、それぞれ、固定端ＦＥが曲げ部１１５に接続して支持される。これにより、図７で例示したような１枚の金属板１１９から、４つの接地用バネ片１０６を一体に有する導電性シェル１０５を作製することができる。このような導電性シェル１０５の一体化により部品点数が減るので組み立てを容易にすることが可能になる。
【００６６】
本実施の形態では、導電性シェル１０５が対象物をガイドするシェルガイド部１１６を有する。対象物１０１を上下方向に概ね正確に位置付けることが、より容易になる。従って、対象物１０１を、より容易に正確な位置に接続することが可能になる。
【００６７】
本実施の形態では、仕切壁１０７及び接地用バネ片１０６の組みが、複数の端子１０４で構成される端子群の左方と右方との両方に設けられている。これにより、４つの接地用バネ片１０６を介して接地を確実にしつつ、複数の端子１０４が接地電位に短絡することを防ぐことが可能になる。
【００６８】
これまで、本発明の一実施の形態について説明したが、本実施の形態は、次のように変形されてもよい。
【００６９】
例えば、実施の形態では、仕切壁１０７が隙間なく遮断することとしたが、「端子群と接地用バネ片１０６とを仕切る」仕切壁１０７は、１つ又は複数の左右に貫通する孔、切欠きなどを有していてもよい。
【００７０】
ただ、仕切壁１０７が、端子１０４のいずれかと接地用バネ片１０６との短絡を防止するという観点からは、仕切壁１０７は、最も近い端子１０４と接地用バネ片１０６とが、側方から見て相互に隠れるように設けられることが望ましい。
【００７１】
すなわち、左方の仕切壁１０７は、左方から見た場合に左端の端子１０４が当該仕切壁１０７によって隠され、かつ、右方から見ると左方の接地用バネ片１０６が当該仕切壁１０７によって隠されるように設けられることが望ましい。また、右方の仕切壁１０７は、右方から見た場合に右端の端子１０４が当該仕切壁１０７によって隠され、かつ、左方から見ると右方の接地用バネ片１０６が当該仕切壁１０７によって隠されるように設けられることが望ましい。
【００７２】
このように、仕切壁１０７が、最も近い端子１０４と接地用バネ片１０６とが側方から見て相互に隠れるように設けられていれば、粉塵などを介して端子１０４と接地用バネ片１０６とが短絡する可能性は低減する。従って、端子１０４のいずれかと接地用バネ片１０６のいずれかとの短絡を防止することが可能になる。
【００７３】
また例えば、実施の形態では、接地用バネ片１０６が導電性シェル１０５に一体に形成される例により説明したが、接地用バネ片１０６が導電性シェル１０５と別部材として作製されたものであってもよい。この場合、例えば接地用バネ片１０６は、導電性シェル１０５に電気的に接続されて、実施の形態に係るコネクタ１００と同様の場所に固定されるとよい。この固定の方法として、例えば、ハウジング１０３に接着剤、ネジ止めなどで固定することを例示することができる。
【００７４】
このような変形例によれば、複数の端子１０４で構成される端子群と、導電性シェル１０５に電気的に接続された接地用バネ片１０６との間を仕切る仕切壁１０７が設けられる。そのため、実施の形態と同様に、複数の端子１０４と接地用バネ片１０６との間を大きく離間させなくても、仕切壁１０７によって、複数の端子１０４と接地用バネ片１０６との短絡を防ぐことができる。従って、コネクタ１００のサイズが大きくなることを防ぎつつ、複数の端子１０４が接地電位に短絡することを防止することが可能になる。
【００７５】
以上、本発明の実施の形態及び変形例について説明したが、本発明は、これらに限られるものではない。例えば、本発明は、これまで説明した実施の形態及び変形例の一部又は全部を適宜組み合わせた形態、その形態に適宜変更を加えた形態をも含む。
【符号の説明】
【００７６】
１００  コネクタ
１０１  対象物
１０２，Ｂ  基板
１０３  ハウジング
ＩＯ    挿入口
１０４  端子
１０５  導電性シェル
１０６  接地用バネ片
１０７  仕切壁
１０８  接地用パッド
１０９  端子用パッド
１１０  穴部
１１１  柱部
１１２  第１シェル部
１１３  第２シェル部
ＦＥ    固定端
１１４  連結部
１１５  曲げ部
１１６  シェルガイド部
１１７  係止爪
１１８  仕切ガイド部
１１９  金属板
１２０  組み付け前の導電性シェル
【図１】
2019075362.tif 000003
【図２】
2019075362.tif 000004
【図３】
2019075362.tif 000005
【図４】
2019075362.tif 000006
【図５】
2019075362.tif 000007
【図６】
2019075362.tif 000008
【図７】
2019075362.tif 000009
【図８】
2019075362.tif 000010
【図９】
2019075362.tif 000011